(57)【特許請求の範囲】
【請求項１】
試料に含まれる特定成分に関する測定を行う測定手段と、
上記測定手段によって得られる測定データを記憶する測定データ記憶手段と、
上記測定データを表示する表示手段と、
上記試料が点着されたセンサ片の挿入および抜き取りを検知するセンサ片検知手段と、
無線通信を介して上記測定データを送信する第１データ送受信手段と、を備えており、
上記第１データ送受信手段は、上記センサ片検知手段により上記センサ片の挿入が検知された後に、無線通信の初回認証処理を行うものであって、
無線通信の対象となる複数の通信機器の存在を上記第１データ送受信手段が検出した場合、上記表示手段に、上記複数の通信機器が接続対象として周期的に一つずつ特定表示され、且つ上記第１データ送受信手段は、上記複数の通信機器のうち上記センサ片検知手段による検知状態に変化があったときに上記特定表示されていたものを対象として、上記初回認証処理を行う、試料測定装置。
【請求項２】
上記センサ片検知手段により上記センサ片の挿入が検知されることにより、上記試料の測定が不可である待機状態から、上記試料の測定が可能である稼働状態となる、請求項１に記載の試料測定装置。
【請求項３】
上記センサ片検知手段により上記センサ片の抜き取りが検知されることにより、上記稼働状態から上記待機状態となる、請求項２に記載の試料測定装置。
【請求項４】
上記初回認証処理に用いられる認証コードを記憶する認証コード記憶手段を備えており、
上記初回認証処理においては、上記表示手段に上記認証コードが表示される、請求項１ないし３のいずれかに記載の試料測定装置。
【請求項５】
上記初回認証処理に用いられる認証コードが印字された認証コード印字部を備えている、請求項１ないし３のいずれかに記載の試料測定装置。
【請求項６】
上記認証コードは、製造個体認識コードである、請求項５に記載の試料測定装置。
【請求項７】
上記センサ片検知手段による検知状態の変化は、上記センサ片が挿入されている状態から抜き取られた状態への変化である、請求項１ないし６のいずれかに記載の試料測定装置。
【請求項８】
上記センサ片検知手段による検知状態の変化は、上記センサ片が挿入されている状態から抜き取られ、ふたたび挿入された状態への変化である、請求項７に記載の試料測定装置。
【請求項９】
上記第１データ送受信手段は、Bluetooth（登録商標）規格に準拠した無線通信を行う
、請求項１ないし８のいずれかに記載の試料測定装置。
【請求項１０】
上記特定成分は血糖であり、血糖自己測定装置として構成されている、請求項１ないし９のいずれかに記載の試料測定装置。
【請求項１１】
請求項１ないし１０のいずれかに記載の試料測定装置と、
上記試料測定装置の上記第１データ送受信手段が行う上記初回認証処理の対象となる第２データ送受信手段を有する通信機器と、を備える、試料測定システム。
【請求項１２】
上記通信機器は、上記試料測定装置によって提供される認証コードを入力するための入力手段を備える、請求項１１に記載の試料測定システム。
【発明の詳細な説明】
【技術分野】
【０００１】
本発明は、試料測定装置および試料測定システムに関する。
【背景技術】
【０００２】
図１４は、従来の試料測定システムの一例を示している（たとえば、特許文献１参照）。同図に示された試料測定システム９００は、試料測定装置９１およびパーソナルコンピュータ９３（以下ＰＣ９３という）からなる。試料測定装置９１は、たとえば自身の血液中の血糖値を測定する血糖自己測定装置（ＳＭＢＧ装置）である。試料測定装置９１による測定は、試料測定装置９１にセンサ片９２を挿入し、このセンサ片９２に血液を点着させることにより行う。この測定に先立ち、またはこの測定の後に、試料測定装置９１とＰＣ９３とは、ケーブル９４によって接続されている。試料測定装置９１の上記測定によって得られた測定データは、ケーブル９４を介してＰＣ９３へと送信される。ＰＣ９３は、上記測定データを記憶する。ＰＣ９３には、複数回の測定データを記憶させることができる。たとえば医者がこれらの測定データを閲覧することにより、使用者の糖尿病の病状に適した治療および投薬を行うことができる。
【０００３】
しかしながら、測定の都度、試料測定装置９１とＰＣ９３とをケーブル９４によって接続することは煩雑である。使用者がケーブル９４による接続を怠ると、ＰＣ９３に記憶されない測定データが生じることとなる。このようなことでは、医者が適切な治療や投薬を行うことが困難となるおそれがある。
【先行技術文献】
【特許文献】
【０００４】
【特許文献１】再表２００８−１３６４３７号公報
【発明の概要】
【発明が解決しようとする課題】
【０００５】
本発明は、上記した事情のもとで考え出されたものであって、使用者の作業負担を低減することが可能な試料測定装置および試料測定システムを提供することをその課題とする。
【課題を解決するための手段】
【０００６】
本発明の第１の側面によって提供される試料測定装置は、試料に含まれる特定成分に関する測定を行う測定手段と、上記測定手段によって得られる測定データを記憶する測定データ記憶手段と、上記測定データを表示する表示手段と、上記試料が点着されたセンサ片の挿入および抜き取りを検知するセンサ片検知手段と、無線通信を介して上記測定データを送信する第１データ送受信手段と、を備えており、上記第１データ送受信手段は、上記センサ片検知手段により上記センサ片の挿入が検知された後に、無線通信の初回認証処理を行う。
【０００７】
本発明の好ましい実施の形態では、上記センサ片検知手段により上記センサ片の挿入が検知されることにより、上記試料の測定が不可である待機状態から、上記試料の測定が可能である稼働状態となる。
【０００８】
本発明の好ましい実施の形態では、上記センサ片検知手段により上記センサ片の抜き取りが検知されることにより、上記稼働状態から上記待機状態となる。
【０００９】
本発明の好ましい実施の形態では、上記初回認証処理に用いられる認証コードを記憶する認証コード記憶手段を備えており、上記初回認定処理においては、上記表示手段に上記認証コードが表示される。
【００１０】
本発明の好ましい実施の形態では、上記初回認証処理に用いられる認証コードが印字された認証コード印字部を備えている。
【００１１】
本発明の好ましい実施の形態では、上記認証コードは、製造個体認識コードである。
【００１２】
本発明の好ましい実施の形態では、無線通信の対象となる通信機器の存在を上記第１データ送受信手段が検出した場合、上記表示手段に、検出した通信機器が接続対象として特定表示される。
【００１３】
本発明の好ましい実施の形態では、無線通信の対象となる複数の上記通信機器の存在を上記第１データ送受信手段が検出した場合、上記表示手段に、上記複数の通信機器が接続対象として周期的に一つずつ特定表示される。
【００１４】
本発明の好ましい実施の形態では、上記第１データ送受信手段は、上記複数の通信機器のうち上記センサ片検知手段による検知状態に変化があったときに上記特定表示されていたものを対象として、上記初回認証処理を行う。
【００１５】
本発明の好ましい実施の形態では、上記センサ片検知手段による検知状態の変化は、上記センサ片が挿入されている状態から抜き取られた状態への変化である。
【００１６】
本発明の好ましい実施の形態では、上記センサ片検知手段による検知状態の変化は、上記センサ片が挿入されている状態から抜き取られ、ふたたび挿入された状態への変化である。
【００１７】
本発明の好ましい実施の形態では、上記第１データ送受信手段は、Bluetooth（登録商
標）規格に準拠した無線通信を行う。
【００１８】
本発明の好ましい実施の形態においては、上記特定成分は血糖であり、血糖自己測定装置として構成されている。
【００１９】
本発明の第２の側面によって提供される試料測定システムは、本発明の第１の側面によって提供される試料測定装置と、上記試料測定装置の上記第１データ送受信手段が行う上記初回認証処理の対象となる第２データ送受信手段を有する通信機器と、を備える。
【００２０】
本発明の好ましい実施の形態においては、上記通信機器は、上記試料測定装置によって提供される認証コードを入力するための入力手段を備える。
【００２１】
このような構成によれば、使用者が上記試料測定装置を用いた測定を行おうとしたとき、上記センサ片を挿入すれば、ペアリング処理が完了しているか否かが判定され、未完の場合ペアリング処理が自動的に行われる。このため、使用者は、上記通信機器との通信接続確立のためにそれ専用の操作を行うことなく、上記試料測定装置と上記通信機器とを通信可能な状態とすることができる。したがって、使用者に上記通信機器との通信可能な状態であるか否かを意識させることなく、上記試料測定装置の測定データを上記通信機器へと送信することができる。
【００２２】
本発明のその他の特徴および利点は、添付図面を参照して以下に行う詳細な説明によっ
て、より明らかとなろう。
【図面の簡単な説明】
【００２３】
【図１】本発明に係る試料測定装置および試料測定システムの一例を示す斜視図である。
【図２】本発明に係る試料測定装置の一例を示すシステム構成図である。
【図３】本発明に係る試料測定システムの一例に用いられる通信機器を示すシステム構成図である。
【図４】本発明に係る試料測定装置の一例の動作を示すフローチャートである。
【図５】本発明に係る試料測定システムの一例のペアリング処理を示すフローチャートである。
【図６】本発明に係る試料測定装置の一例におけるセンサ片の抜き差しを示す正面図である。
【図７】本発明に係る試料測定システムの一例のペアリング処理におけるペアリング対象選択画面を示す正面図である。
【図８】本発明に係る試料測定システムの一例のペアリング処理におけるパスキー表示画面を示す正面図である。
【図９】本発明に係る試料測定システムの一例のペアリング処理におけるパスキー入力画面を示す正面図である。
【図１０】本発明に係る試料測定装置の変形例を示す背面図である。
【図１１】本発明に係る試料測定システムのペアリング処理の変形例を示すフローチャートである。
【図１２】図１１に示すペアリング処理において、試料測定装置によるペアリング対象選択画面の一例を示す正面図である。
【図１３】図１１に示すペアリング処理において、試料測定装置によるペアリング対象選択画面の他の例を示す正面図である。
【図１４】従来の試料測定装置および試料測定システムの一例を示す斜視図である。
【発明を実施するための形態】
【００２４】
以下、本発明の好ましい実施の形態につき、図面を参照して具体的に説明する。
【００２５】
図１は、本発明に係る試料測定装置および試料測定システムの一例を示している。本実施形態の試料測定システム１０１は、試料測定装置２０１および通信機器３０１を備えている。
【００２６】
試料測定装置２０１は、たとえば使用者が自身の血糖値を測定するために用いる血糖自己測定装置（ＳＭＢＧ装置）として構成されており、図１および図２に示すように、ケース２１０、測定部２２０、測定データ記憶部２２５、ディスプレイ２３０、センサ片検知部２４０、制御部２６０、認証コード記憶部２７０、通信部２８０を備えている。試料測定装置２０１による測定には、センサ片２９０が用いられる。センサ片２９０には、点着部２９１が形成されている。試料測定装置２０１による測定においては、挿入口２１１にセンサ片２９０が挿入される。点着部２９１には、使用者の血液が点着される。
【００２７】
ケース２１０は、たとえば樹脂からなり、試料測定装置２０１の外形を規定している。ケース２１０には、挿入口２１１が形成されている。挿入口２１１は、センサ片２９０を挿入するためのものである。センサ片検知部２４０は、挿入口２１１の奥方に設けられており、センサ片２９０が挿入されたことを検知する。センサ片検知部２４０の構成としては、機械的なレバー（図示略）をセンサ片２９０が揺動させることによって検知する構成や、１対の検知電極（図示略）にセンサ片２９０が当接することによってこれらの検知電極どうしが導通することによって検知する構成などが挙げられる。
【００２８】
測定部２２０は、血糖値を測定する部位である。測定部２２０は、たとえば点着部２９１に血液が点着されたセンサ片２９０と導通する端子（図示略）を有しており、電気的手法により血糖値を測定する。測定データ記憶部２２５は、たとえばメモリであり、測定部２２０によって得られた測定データを記憶する。ディスプレイ２３０は、本発明でいう表示手段の一例であり、測定データなどを表示するための部位であり、たとえば液晶ディスプレイパネルである。
【００２９】
制御部２６０は、試料測定装置２０１の測定動作において各部位を制御するものであり、たとえばＣＰＵによって構成されている。
【００３０】
通信部２８０は、本発明でいう第１データ送受信手段の一例であり、無線通信を介してデータ送受信を行う。本実施形態においては、通信部２８０は、Bluetooth（登録商標）規格に準拠した無線通信を行う。これにより、通信部２８０は、双方向無線通信が可能である。
【００３１】
認証コード記憶部２７０は、試料測定システム１０１において試料測定装置２０１と通信機器３０１とが通信可能となる状態を確立するためのペアリング処理（初回認証処理）において用いられるパスキー（認証コード）を記憶するためのものである。Bluetooth（登録商標）規格に準拠した無線通信においては、ペアリング処理が１回行われると、その後はペアリングされた機器どうしが通信可能な距離よりも近い位置に置かれると通信可能状態が確立される。
【００３２】
通信機器３０１は、たとえば携帯型電話機であり、試料測定装置２０１から送信された測定データを受信、記憶し、またこれを公衆通信回線を介してたとえばサーバ装置（図示略）に送信する機能を有する。図１および図３に示すように、通信機器３０１は、通信部３１０、通信部３１５、制御部３２０、ディスプレイ３３０、操作部３６０を備えている。
【００３３】
通信部３１０は、本発明でいう第２データ送受信手段の一例であり、無線通信を介してデータ送受信を行う。本実施形態においては、通信部３１０は、Bluetooth（登録商標）規格に準拠した無線通信を行う。これにより、通信部３１０は、双方向無線通信が可能である。通信部３１５は、無線通信を介して携帯電話通信網にアクセスするための部位である。これにより、通信機器３０１は、携帯電話通信網、およびこれを介したインターネットへのアクセスが可能となっている。
【００３４】
制御部３２０は、通信機器３０１の通信動作において各部位を制御するものであり、たとえばＣＰＵによって構成されている。ディスプレイ３３０は、たとえば液晶ディスプレイパネルによって構成されている。操作部３６０は、ダイヤルキーや方向キーなどである。
【００３５】
次に、試料測定装置２０１および試料測定システム１０１の動作について、図４〜図９を参照しつつ以下に説明する。
【００３６】
図４は、試料測定装置２０１の動作を示すフローチャートである。まず、ステップＳ０で試料測定装置２０１の動作が開始する。ステップＳ０においては、ディスプレイ２３０などは非表示の状態であり、試料測定装置２０１は、一般的に電源ＯＦＦと呼ばれる状態にある。ただし、このときには、センサ片検知部２４０はセンサ片２９０を検知可能な状態にある。センサ片検知部２４０が電気的手法によってセンサ片２９０を検知する場合、センサ片検知部２４０には電力が供給されている。これとは異なり、センサ片検知部２４０が電力を要しない場合、電力供給が完全に遮断されていてもよい。このように、電源ＯＦＦと呼ばれる状態であり、かつセンサ片検知部２４０が検知可能な状態を、本発明においては待機状態と定義する。
【００３７】
ついで、ステップＳ１において、センサ片検知部２４０によってセンサ片２９０が挿入されているか否かを判定する。図６に示すように、センサ片２９０が挿入されると、図２においてセンサ片検知部２４０から挿入検知信号が制御部２６０へと送られる。制御部２６０は、試料測定装置２０１全体への電源供給を開始する。これにより、図４に示すようにステップＳ２において、試料測定装置２０１は、一般的に電源ＯＮと称される状態となる。本発明においては、この状態を稼働状態と定義する。
【００３８】
稼動状態になると、ステップＳ４においてペアリング処理が完了しているか否かが判定される。制御部２６０が通信部２８０の状態信号を受け取り、ペアリングが未完了であると判定した場合、ステップＳ４０においてペアリング処理がなされる。なお、制御部２６０による自動的な判定に代えて、センサ片２９０の抜き差し動作によってステップＳ４からステップＳ４０に移行する構成としてもよい。
【００３９】
図５は、試料測定システム１０１における試料測定装置２０１と通信機器３０１とのペアリング処理を示すフローチャートである。試料測定装置２０１においては、ステップＳ４１においてペアリング処理が開始される。一方、通信機器３０１においては、たとえば使用者が操作部３６０によって所定の操作を行うことにより、ステップＳ４２においてペアリング処理が開始される。
【００４０】
試料測定装置２０１においては、ステップＳ４１１で通信部２８０から個体信号を発信する。この個体信号は、ペアリング処理において通信機器３０１に試料測定装置２０１の存在を知らせるための信号である。通信機器３０１の制御部３２０は、ステップＳ４２１において通信部３１０によって上記個体信号を受信すると、ステップＳ４２２において個体信号に含まれる情報を図７に示すようにディスプレイ３３０に表示する。本実施形態においては、上記個体信号には、試料測定装置２０１の名称として「ＳＭＢＧ１」が含まれており、ディスプレイ３３０には、「ＳＭＢＧ１」がペアリング候補として表示される。
【００４１】
次いで、図５に示すステップＳ４２３においては、ペアリングの対象となる機器を選択する。本実施形態においては、図７に示すように、ペアリング候補として「ＳＭＢＧ１」を含む複数の名称が表示されている。たとえば、操作部３６０の上下方向ボタンを押すと、「ＳＭＢＧ１」を囲んでいる枠アイコンが上下に移動する。この枠アイコンを所望の名称に位置させた状態でたとえば操作部３６０の決定ボタンを押すことにより、所望の名称によって表された機器を通信機器３０１のペアリング対象として選択できる。本実施形態においては、「ＳＭＢＧ１」が選択される。
【００４２】
図５に示すように、ステップＳ４２３によってペアリング対象の選択が完了すると、ステップＳ４２４においてパスキーの入力が要求される。一方、試料測定装置２０１においては、ステップＳ４１１が完了すると、ステップＳ４１２においてパスキーが表示される。具体的には、認証コード記憶部２７０に記憶されていたパスキーが、図８に示すように、試料測定装置２０１のディスプレイ２３０に表示される。また、通信機器３０１は、図９に示すように、ディスプレイ３３０にパスキー入力を促す旨のメッセージが表示される。そして、図８においてディスプレイ２３０に表示されたパスキーを図９において操作部３６０のたとえばテンキーによって入力することにより、図５に示すステップＳ４２４におけるパスキー入力が完了する。
【００４３】
次いで、ステップＳ４２５においては、通信機器３０１の制御部３２０は、通信部３１０からステップＳ４２４で入力されたパスキーを送信する。試料測定装置２０１では、ステップＳ４１３において通信部２８０によって送信されたパスキーを受信する。次いで、ステップＳ４１４において受信したパスキーと認証コード記憶部２７０に記憶されているパスキーとを照合する。これらのパスキー同士が一致した場合、ステップＳ４１５においてペアリング許可信号が通信部２８０から送信される。そして、通信機器３０１においてステップＳ４２６で通信部３１０によりペアリング許可信号を受信する。以上より、ステップＳ４３のペアリング完了を経て、試料測定装置２０１と通信機器３０１とは、Bluetooth（登録商標）規格に準拠した無線通信を介した双方向通信が可能となる。
【００４４】
この後は、図４に示すように、試料測定装置２０１では、ステップＳ５において、測定部２２０により血糖値測定が行われる。得られた血糖値測定データは、測定データ記憶部２２５に記憶される。また、ステップＳ６においては、血糖値測定データが、通信部２８０によって通信機器３０１に送信される。この送信は、試料測定装置２０１と通信機器３０１との通信が確立されていることを条件に自動的に行ってもよいし、使用者の選択操作により行ってもよい。そして、ステップＳ７において、センサ片２９０の抜き取りがセンサ片検知部２４０によって検知されると、ステップＳ８において、試料測定装置２０１は電源ＯＦＦの状態とされる。
【００４５】
次に、試料測定装置２０１および試料測定システム１０１の作用について説明する。
【００４６】
本実施形態によれば、使用者が試料測定装置２０１を用いた測定を行おうとしたとき、センサ片２９０を挿入すれば、ペアリング処理が完了しているか否かが判定され、未完の場合ペアリング処理が自動的に行われる。このため、使用者は、通信機器３０１との通信接続確立のためにそれ専用の操作を行うことなく、試料測定装置２０１と通信機器３０１とを通信可能な状態とすることができる。したがって、使用者に通信機器３０１との通信可能な状態であるか否かを意識させることなく、試料測定装置２０１の測定データを通信機器３０１へと送信することができる。
【００４７】
Bluetooth（登録商標）規格に準拠した無線通信を介して試料測定装置２０１と通信機器３０１との間でデータ送受信する構成とすることにより、試料測定装置２０１と通信機器３０１との距離が通信可能な距離以下となると、使用者が意識することなく自動的にデータ送受信を開始することができる。センサ片２９０の挿入および抜き取りによって試料測定装置２０１の電源ＯＮと電源ＯＦＦとを切り替えることにより、血糖値測定に必須である操作を行えば、使用者の意図に沿って試料測定装置２０１の電源ＯＮ／ＯＦＦを切り替えることができる。これらの構成により、試料測定装置２０１は、使用者の意図に沿って、かつ使用者が不必要に意識することなく、測定動作および通信機器３０１との通信動作を開始することができる。
【００４８】
認証コード記憶部２７０に記憶されたパスキーを、試料測定装置２０１のディスプレイ２３０に表示する構成とすることにより、使用者がパスキーを確認するためにたとえば試料測定装置２０１の取扱説明書などをわざわざ読む必要がない。また、パスキーは、比較的小さい桁の英数字などであるため、パスキーを表示する構成であってもディスプレイ２３０に過大な表示サイズを与えなくて済む。
【００４９】
図１０〜図１３は、本発明に係る試料測定装置および試料測定システムの変形例を示している。なお、これらの図において、上記実施形態と同一または類似の要素には、上記実施形態と同一の符号を付している。
【００５０】
図１０は、試料測定装置２０１の変形例を示している。この変形例においては、試料測定装置２０１は、上述した認証コード記憶部２７０に代えて、認証コード印字部２７５を有している。認証コード印字部２７５は、たとえばケース２１０の背面に貼付されたラベ
ルであり、パスキーが印字されている。この変形例によるペアリング処理においては、図５に示すステップＳ４１２のパスキー表示が、ディスプレイ２３０ではなく、認証コード印字部２７５によってなされている。使用者は、認証コード印字部２７５に印字されたパスキーをステップＳ４２４において入力すればよい。
【００５１】
このような変形例によっても、使用者に通信機器３０１との通信可能な状態であるか否かを意識させることなく、試料測定装置２０１の測定データを通信機器３０１へと送信することができる。また、パスキーをラベルなどの認証コード印字部２７５に印字しておくことにより、たとえば比較的高齢な使用者にとってディスプレイに表示されたパスキーを判読するよりも容易に判読可能であるという利点がある。
【００５２】
図１１は、試料測定システム１０１におけるペアリング処理の変形例を示している。この変形例においては、通信機器３０１だけでなく試料測定装置２０１においても複数のペアリング候補からペアリング対象を選択する操作を行う。通信機器３０１は、ステップ４２７において、個体信号を送信する。試料測定装置２０１は、ステップＳ４１６において通信機器３０１からの個体信号を受信し、ステップＳ４１７において図１２に示すように通信機器３０１の名称がディスプレイ２３０に表示される。通信機器３０１の名称は、「Ｐｈｏｎｅ１」と表示されている。通信機器３０１以外にもペアリング候補が存在する場合、「Ｐｈｏｎｅ１」を含む複数の名称が周期的に入れ替わりながらディスプレイ２３０に表示される。使用者は、ペアリング対象である機器の名称が表示されているとき（「Ｐｈｏｎｅ１」と表示されているとき）にセンサ片２９０を抜き差しすることにより、図１１に示すステップＳ４１８のペアリング対象選択を行う。
【００５３】
図１３は、ステップＳ４１７におけるペアリング候補表示の他の手法を示している。この手法においては、ディスプレイ２３０に複数のペアリング候補の名称がリスト形式で表示されている。ディスプレイ２３０に表示された枠アイコンは、複数の名称のいずれか一つを囲む位置に表示されている。この枠アイコンの位置は、リスト表示された各名称を囲む位置を周期的に移動する。使用者は、ペアリング対象である機器の名称が枠アイコンに囲まれているとき（「Ｐｈｏｎｅ１」が枠アイコンによって囲まれているとき）にセンサ片２９０を抜き差しすることにより、図１１に示すステップＳ４１８のペアリング対象選択を行う。
【００５４】
このような変形例によっても、使用者に通信機器３０１との通信可能な状態であるか否かを意識させることなく、試料測定装置２０１の測定データを通信機器３０１へと送信することができる。また、通信機器３０１と同様のペアリング候補機器が複数存在する場合に、意図しない機器と試料測定装置２０１とがペアリングされてしまうことをより確実に防止することができる。
【００５５】
本発明に係る試料測定装置および試料測定システムは、上述した実施形態に限定されるものではない。本発明に係る試料測定装置および試料測定システムの各部の具体的な構成は、種々に設計変更自在である。
【００５６】
本発明でいう通信機器は、携帯型電話機に限定されず、試料測定装置と無線通信を介して可能な機器であればよく、たとえばBluetooth（登録商標）規格に準拠した無線通信を介したデータ送受信が可能に構成されたパーソナルコンピュータであってもよい。本発明でいう試料測定装置は、ＳＭＢＧ機器に限定されず、測定データを通信機器に、または通信機器を介して収集することが好ましい様々な測定に供されるものに適用可能である。本発明でいう無線通信は、Bluetooth（登録商標）規格に準拠した無線通信機に限定されず、試料測定装置と通信機器とのデータ送受信を実現可能なものであればよい。
【符号の説明】
【００５７】
１０１  試料測定システム
２０１  試料測定装置
２１０  ケース
２１１  挿入口
２２０  測定部（測定手段）
２２５  測定データ記憶部（測定データ記憶手段）
２３０  ディスプレイ（表示手段）
２４０  センサ片検知部（センサ片検知手段）
２６０  制御部
２７０  認証コード記憶部（認証コード記憶手段）
２７５  認証コード印字部
２８０  通信部（第１データ送受信手段）
２９０  センサ片
２９１  点着部
３０１  通信機器
３１０  通信部（第２データ送受信手段）
３１５  通信部
３２０  制御部
３３０  ディスプレイ
３６０  操作部（入力手段）
【図１】
0005878424.tif 000002
【図２】
0005878424.tif 000003
【図３】
0005878424.tif 000004
【図４】
0005878424.tif 000005
【図５】
0005878424.tif 000006
【図６】
0005878424.tif 000007
【図７】
0005878424.tif 000008
【図８】
0005878424.tif 000009
【図９】
0005878424.tif 000010
【図１０】
0005878424.tif 000011
【図１１】
0005878424.tif 000012
【図１２】
0005878424.tif 000013
【図１３】
0005878424.tif 000014
【図１４】
0005878424.tif 000015